(57)【要約】【課題】ブスバー収容室のスペースを可及的に小さくすることができると共に、金型費の低コスト化を図ることができるブスバー固定構造を提供する。【解決手段】ハウジング１０内のブスバー収容室１２に収容されたブスバー２０を複数のブスバーロック手段によって固定するブスバー固定構造において、ブスバー収容室１２内に突出する可撓性アーム部２１ａと可撓性アーム部２１ａの先端に設けられた係止突起２１ｂとを有する撓み変形ロック手段２１と、ブスバー収容室１２内に突出する係止突起２２ｂを有する強制変形ロック手段２２と、ブスバー収容室１２を形成する仕切壁１６，１８を一部切り欠いて撓み変形可能に形成された可撓性アーム部２３ａ，２４ａと、可撓性アーム部２３ａ，２４ａの先端に設けられ、ブスバー収容室１２内に突出する係止突起２３ｃ，２４ｃとを有する簡易ロック手段２３，２４とで複数のブスバーロック手段を構成した。【選択図】      図１
2004158533.tif 000002
【特許請求の範囲】
【請求項１】
ハウジングにブスバー収容室を設け、このブスバー収容室に収容されたブスバーを複数のブスバーロック手段によって固定するようにしたブスバー固定構造において、
前記ブスバーロック手段は、前記ブスバー収容室内に突出する可撓性アーム部と、この可撓性アーム部の先端に設けられた係止突起とを有し、前記ブスバー収容室への前記ブスバーの収容を前記可撓性アーム部の撓み変形によって許容し、前記ブスバーが完全収容されると前記可撓性アーム部が撓み復帰変形して前記係止突起が前記ブスバーに係止する撓み変形ロック手段と、前記ブスバー収容室内に突出する係止突起を有し、前記ブスバー収容室への前記ブスバーの収容を前記係止突起及びその周囲部分の強制変形によって許容し、前記ブスバーが完全収容されると強制変形部分が復帰変形して前記係止突起が前記ブスバーに係止する強制変形ロック手段とで構成されたことを特徴とするブスバー固定構造。
【請求項２】
請求項１記載のブスバー固定構造であって、
前記ブスバー収容室を形成する仕切壁を一部切り欠くことによって撓み変形可能に形成された可撓性アーム部と、この可撓性アーム部の先端に設けられ、前記ブスバー収容室内に突出する係止突起とを有し、前記ブスバー収容室への前記ブスバーの収容を前記可撓性アーム部の撓み変形によって許容し、前記ブスバーが完全収容されると前記可撓性アーム部が撓み復帰変形して前記係止突起が前記ブスバーに係止する簡易ロック手段を備えたことを特徴とするブスバー固定構造。
【請求項３】
請求項１又は請求項２記載のブスバー固定構造であって、
前記ブスバーは、プレート部と、このプレート部に突設されたタブ端子部とを備えたことを特徴とするブスバー固定構造。
【発明の詳細な説明】
【０００１】
【発明の属する技術分野】
本発明は、例えば、複数のワイヤハーネスを接続するジョイントコネクタのコネクタハウジング内にブスバーを固定するブスバー固定構造に関する。
【０００２】
【従来の技術】
この種のブスバー固定構造として、図５及び図６に示すものがある（例えば、特許文献１参照。）。
【０００３】
このブスバー固定構造は、図５及び図６に示すように、ハウジング１にブスバー収容室２を有し、このブスバー収容室２内に収容されるブスバー３を２つのロック手段４によって固定するものである。この各ロック手段４は、ハウジング１に固定され、ブスバー収容室２に突出する可撓性アーム部４ａと、この可撓性アーム部４ａの先端に設けられた係止突起４ｂとを備えている。
【０００４】
ブスバー３は、２箇所で折り曲げられたプレート部３ａと、このプレート部３ａより下方に突設されたタブ端子部３ｂとを有し、プレート部３ａの２箇所には係止孔３ｃが形成されている。
【０００５】
次に、ブスバー３の組み付け作業を説明する。ブスバー収容室２の上方よりブスバー３を収容すると、ブスバー３の下端に各係止突起４ｂが当接し、この状態よりさらにブスバー３を収容すると、各可撓性アーム部４ａがそれぞれ撓み変形してブスバー３の収容が許容される。ブスバー３がブスバー収容室２内に完全に収容されると、ブスバー３の各係止孔３ｃと各係止突起４ｂとの位置がそれぞれ一致し、各可撓性アーム部４ａが撓み復帰変形して各係止突起４ｂが各係止孔３ｃに係止される。ブスバー３は２つのロック手段４でそれぞれ位置規制されることによってブスバー収容室２内にロックされる。
【０００６】
【特許文献１】
実用新案登録第２５４３５２４号公報
【０００７】
【発明が解決しようとする課題】
しかしながら、前記従来のブスバー固定構造では、可撓性アーム部４ａをブスバー収容室２内に突出させ、且つ、撓み変形するスペースを確保した状態で配置させる必要があるため、ブスバー収容室２のスペースが大きくなり、ひいてはハウジング１が大型化するという問題があった。
【０００８】
また、一般に、ハウジング１は金型を用いて樹脂の射出成形で製造されるが、ブスバー収容室２と、この内部に突出するロック手段４とを一体成形する金型の形状が複雑になることから、金型費が嵩む（コスト高になる）という問題があった。
【０００９】
そこで、本発明は、前記した課題を解決すべくなされたものであり、ブスバー収容室のスペースを可及的に小さくすることができると共に、金型費の低コスト化を図ることができるブスバー固定構造を提供することを目的とする。
【００１０】
【課題を解決するための手段】
請求項１の発明は、ハウジングにブスバー収容室を設け、このブスバー収容室に収容されたブスバーを複数のブスバーロック手段によって固定するようにしたブスバー固定構造において、前記ブスバーロック手段は、前記ブスバー収容室内に突出する可撓性アーム部と、この可撓性アーム部の先端に設けられた係止突起とを有し、前記ブスバー収容室への前記ブスバーの収容を前記可撓性アーム部の撓み変形によって許容し、前記ブスバーが完全収容されると前記可撓性アームが撓み復帰変形して前記係止突起が前記ブスバーに係止する撓み変形ロック手段と、前記ブスバー収容室内に突出する係止突起を有し、前記ブスバー収容室への前記ブスバーの収容を前記係止突起及びその周囲部分の強制変形によって許容し、前記ブスバーが完全収容されると強制変形部分が復帰変形して前記係止突起が前記ブスバーに係止する強制変形ロック手段とで構成されたことを特徴とする。
【００１１】
このブスバー固定構造では、可撓性アーム部をブスバー収容室内に突出状態で配置する必要がある撓み変形ロック手段と、係止突起のみをブスバー収容室内に突出状態で配置すれば良い強制変形ロック手段とを組み合わせることからブスバーロック手段の全てを撓み変形ロック手段とする必要がない。
【００１２】
請求項２の発明は、請求項１記載のブスバー固定構造であって、前記ブスバー収容室を形成する仕切壁を一部切り欠くことによって撓み変形可能に形成された可撓性アーム部と、この可撓性アーム部の先端に設けられ、前記ブスバー収容室内に突出する係止突起とを有し、前記ブスバー収容室への前記ブスバーの収容を前記可撓性アーム部の撓み変形によって許容し、前記ブスバーが完全収容されると前記可撓性アーム部が撓み復帰変形して前記係止突起が前記ブスバーに係止する簡易ロック手段を備えたことを特徴とする。
【００１３】
このブスバー固定構造では、係止突起のみをブスバー収容室内に突出状態で配置すれば良い簡易ロック手段であるため、ブスバー収容室の省スペース化と金型費の低コスト化が図られる。また、ロック手段でブスバーが確実かつ強固にロックされる。
【００１４】
請求項３の発明は、請求項１又は請求項２記載のブスバー固定構造であって、前記ブスバーは、プレート部と、このプレート部に突設されたタブ端子部とを備えたことを特徴とする。
【００１５】
このブスバー固定構造では、タブ端子部を有するブスバーについて、請求項１又は請求項２の発明と同様な作用が得られる。
【００１６】
【発明の実施の形態】
以下、本発明の一実施形態を図面に基づいて説明する。
【００１７】
図１は本発明の一実施形態のブスバー固定構造を一部断面で示す斜視図、図２は同ブスバー固定構造に用いられるコネクタハウジングの概略平面図、図３は図２中Ａ−Ａ線に沿う断面図、図４は図２中Ｂ−Ｂ線に沿う断面図である。
【００１８】
図１及び図２に示すように、例えば一対のワイヤハーネスを接続するジョイントコネクタ用のコネクタハウジング（ハウジング）１０は、上下方向の中央に配置された底壁１１を有し、この底壁１１を境として上方側にブスバー収容室１２が、下方側にコネクタ装着部１３が、それぞれ設けられている。このブスバー収容室１２は、第１外周壁１４とこの第１外周壁１４に沿って設けられた第１仕切壁１５の間と、互いに平行に延設された第２〜第４仕切壁１６，１７，１８との各間と、この各仕切壁１６，１７，１８のエッジとこれに直交配置された第２外周壁１９との間の各スペースによって形成されている。このブスバー収容室１２内にはブスバー２０が収容されるようになっており、このブスバー２０はブスバーロック手段である撓み変形ロック手段２１と強制変形ロック手段２２及び簡易ロック手段２３，２４によってそれぞれ固定されるようになっている。これら撓み変形ロック手段２１及び強制変形ロック手段２２は各１箇所に、簡易ロック手段２３，２４は２箇所に、それぞれ設けられている。
【００１９】
図１に示すように、撓み変形ロック手段２１は、第１仕切壁１５の内面に一端側が固定され、先端側がブスバー収容室１２内に突出された可撓性アーム部２１ａと、この可撓性アーム部２１ａの先端に設けられた係止突起（係止部）２１ｂとを備えており、ブスバー収容室１２へのブスバー２０の収容を可撓性アーム部２１ａの撓み変形によって許容し、ブスバー２０が完全収容されると、可撓性アーム部２１ａが撓み復帰変形して係止突起２１ｂがブスバー２０の係止孔（係止部）２０ｃに係止されるようになっている。
【００２０】
図１及び図４に示すように、強制変形ロック手段２２は、第２外周壁１９の内面に一体突出形成され、ブスバー収容室１２内に突出するテーパ面２２ａを有した係止突起２２ｂを備えており、ブスバー収容室１２へのブスバー２０の収容をテーパ面２２ａ及びその周囲部分の強制変形によって許容し、ブスバー２０が完全収容されると強制変形部分が復帰変形して係止突起２２ｂがブスバー１２の上端面に係止されるようになっている。
【００２１】
図１及び図３に示すように、各簡易ロック手段２３，２４は、第２仕切壁１６及び第４仕切壁１８を一部切り欠くことによって撓み変形可能に形成された可撓性アーム部２３ａ，２４ａと、この可撓性アーム部２３ａ．２４ａの先端に設けられ、ブスバー収容室１２内に突出するテーパ面２３ｂ，２４ｂを有した係止突起（係止部）２３ｃ，２４ｃとを備えており、ブスバー収容室１２へのブスバー２０の収容を可撓性アーム部２３ａ，２４ａの撓み変形によって許容し、ブスバー２０が完全収容されると可撓性アーム部２３ａ，２４ａが撓み復帰変形して係止突起２３ｃ，２４ｃがブスバー２０の上端面に係止されるようになっている。
【００２２】
図４に示すように、コネクタ装着部１３は、内部にコネクタ収容室１３ａを有し、このコネクタ収容室１３ａとブスバー収容室１２との間の底壁１１には複数の端子挿通孔１１ａが形成されている。このコネクタ装着部１３には複数のアース線の端部が接続された図示しない相手側コネクタが嵌合されるようになっている。
【００２３】
ブスバー２０はアース用の端子部と各端子部から車体側へのアース配線経路部を形成する接続金具であり、複数箇所で直角方向に折り曲げられたプレート部２０ａと、このプレート部２０ａより下方に突設されたタブ端子部２０ｂとを備えている。プレート部２０ａの１箇所には係止孔２０ｃが形成されており、また、プレート部２０ａの一端側はコネクタハウジング１０より外側に突出している。この突出部分にはボルト挿通孔２０ｄが形成されており、ボルト挿通孔２０ｄに挿通されたボルト等を介して車体側にアース接続されるようになっている。
【００２４】
次に、ブスバー２０の組み付け作業を説明する。
【００２５】
コネクタハウジング１０のブスバー収容室１２の上方よりブスバー２０を収容すると、ブスバー２０の下端に簡易ロック手段２３，２４の各係止突起２３ｃ，２４ｃと強制変形ロック手段２２の係止突起２２ｂがそれぞれ当接し、この状態よりさらにブスバー２０を収容すると、簡易ロック手段２３，２４の各弾性アーム部２３ａ，２４ａがそれぞれ撓み変形し、かつ、強制変形ロック手段２２の係止突起２２ｂ及びその周辺の第２外周壁１９が強制変形してブスバー２０の収容が許容される。
【００２６】
次に、ブスバー２０の下端に撓み変形ロック手段２１の係止突起２１ｂが当接し、この状態よりさらにブスバー２０をブスバー収容室１２内に収容すると、撓み変形ロック手段２１の可撓性アーム部２１ａが撓み変形してブスバー２０の収容が許容される。そして、ブスバー２０がブスバー収容室１２内に完全に収容されると、ブスバー１２の上端より簡易ロック手段２３，２４の各係止突起２３ｃ，２４ｃが上方位置となり、各可撓性アーム部２３ａ，２４ａが撓み復帰変形して各係止突起２３ｃ，２４ｃがブスバー２０の上端に係止される。
【００２７】
また、ブスバー２０がブスバー収容室１２内に完全に収容されると、ブスバー２０の上端より強制変形ロック手段２２の係止突起２２ｂが上方位置となり、強制変形部分が復帰変形して係止突起２２ｂがブスバー２０の上端に係止される。さらに、ブスバー２０がブスバー収容室１２内に完全に収容されると、ブスバー２０の係止孔２０ｃと撓み変形ロック手段２１の係止突起２１ｂとの位置が一致し、可撓性アーム部２１ａが撓み復帰変形して係止突起２１ｂがブスバー２０の係止孔２０ｃに係止される。ブスバー２０は、撓み変形ロック手段２１と強制変形ロック手段２２及び簡易ロック手段２３，２４でそれぞれ位置規制されることによってブスバー収容室１２内にロックされる。また、ブスバー２０の各タブ端子部２０ｂは、端子挿通孔１１ａよりコネクタ収容室１３ａに挿通して所定の位置に突出状態で配置される。
【００２８】
以上、このブスバー固定構造では、可撓性アーム部２１ａをブスバー収容室１２内に突出状態で配置する撓み変形ロック手段２１と、係止突起２２ｂのみをブスバー収容室１２内に突出状態で配置すれば良い強制変形ロック手段２２とを組み合わせることからブスバーロック手段の全てを撓み変形ロック手段２１とする必要がない。従って、ブスバー収容室１２のスペースを可及的に小さくすることができると共に、金型費の低コスト化を図ることができる。
【００２９】
また、ブスバー収容室１２の第２及び第４仕切壁１６，１８を一部切り欠くことによって撓み変形可能に形成された可撓性アーム部２３ａ，２４ａと、この可撓性アーム部２３ａ，２４ａの先端に設けられ、ブスバー収容室１２内に突出する係止突起２３ｃ，２４ｃとを有する簡易ロック手段２３，２４を備えたので、ブスバー収容室１２の省スペース化と金型費の低コスト化を極力維持しつつ、３種類のブスバーロック手段２２〜２４でブスバー２０のタブ端子部２０ｂ側を確実にロックすることができ、ブスバー２０をより一層強固にロックすることができる。
【００３０】
尚、前記実施形態では、ブスバー２０は、プレート部２０ａと、このプレート部２０ａに突設されたタブ端子部２０ｂとを備えた構造であるが、ブスバー２０の構造がこれに限定されるものでないことは勿論である。また、前記実施形態のブスバー２０はアース用であるが、電線の分岐・集合用であっても良く、用途が限定されるものでないことは勿論である。
【００３１】
【発明の効果】
以上説明したように、請求項１の発明によれば、ハウジングのブスバー収容室内に突出する可撓性アーム部と、この可撓性アーム部の先端に設けられた係止突起とを有する撓み変形ロック手段と、ブスバー収容室内に突出する係止突起を有する強制変形ロック手段とを組み合わせてブスバーロック手段を構成したので、可撓性アーム部をブスバー収容室内に突出状態で配置する必要がある撓み変形ロック手段と、係止突起のみをブスバー収容室内に突出状態で配置すれば良い強制変形ロック手段とを組み合わせることからブスバーロック手段の全てを撓み変形ロック手段とする必要がない。従って、ブスバー収容室のスペースを可及的に小さくすることができると共に、金型費の低コスト化を図ることができる。
【００３２】
請求項２の発明によれば、仕切壁を一部切り欠くことによって撓み変形可能に形成された可撓性アーム部と、この可撓性アーム部の先端に設けられ、ブスバー収容室内に突出する係止突起とを有する簡易ロック手段を付加したので、ブスバー収容室の省スペース化と金型費の低コスト化を維持しつつ複数のブスバーロック手段でブスバーを確実かつ強固にロックすることができる。
【００３３】
請求項３の発明によれば、ブスバーがプレート部とこのプレート部に突設されたタブ端子部とを備えたので、タブ端子部を有するブスバーをハウジングのブスバー収容室に確実にロックすることができる。
【図面の簡単な説明】
【図１】本発明の一実施形態のブスバー固定構造を一部断面で示す斜視図である。
【図２】上記ブスバー固定構造に用いられるコネクタハウジングの概略平面図である。
【図３】図２中Ａ−Ａ線に沿う断面図である。
【図４】図２中Ｂ−Ｂ線に沿う断面図である。
【図５】従来のブスバーの固定状態を示す斜視図である。
【図６】図５中Ｃ−Ｃ線に沿う断面図である。
【符号の説明】
１０  コネクタハウジング（ハウジング）
１２  ブスバー収容室
１６  第２仕切壁（仕切壁）
１８  第４仕切壁（仕切壁）
２０  ブスバー
２０ａ  プレート部
２０ｂ  タブ端子部
２１  撓み変形ロック手段（ブスバーロック手段）
２１ａ  可撓性アーム部
２１ｂ  係止突起
２２  強制変形ロック手段（ブスバーロック手段）
２２ｂ  係止突起
２３，２４  簡易ロック手段（ブスバーロック手段）
２３ａ，２４ａ  可撓性アーム部
２３ｃ，２４ｃ  係止突起
【図１】
2004158533.tif 000003
【図２】
2004158533.tif 000004
【図３】
2004158533.tif 000005
【図４】
2004158533.tif 000006
【図５】
2004158533.tif 000007
【図６】
2004158533.tif 000008